(57)【特許請求の範囲】
【請求項１】
広帯域光源と、
前記広帯域光源と光通信するように配置された光源ファイバーと、
該光源ファイバーと光通信するファイバー光学コネクタであって、試験用の光ファイバーにファイバー界面で結合するように構成された光ファイバーコネクタと、
前記光源ファイバーと光通信するように配置された光スペクトラムアナライザーであって、該ファイバ界面からとファイバー歪みからとの光反射を有する合成出力信号のスペクトルを分析することにより、該試験用の光ファイバーにおける未知のファイバー歪みの位置を決定するように構成された、光スペクトラムアナライザーと
を備えているファイバーケーブル歪み検出システム。
【請求項２】
前記広帯域光源が広帯域ＬＥＤを含む、請求項１に記載のシステム。
【請求項３】
前記光スペクトラムアナライザーと連動するスペクトルディスプレイを更に備えている、請求項１に記載のシステム。
【請求項４】
前記広帯域光源、前記光源ファイバー、及び前記光スペクトラムアナライザーと光通信するように配置された光ファイバーカプラーを更に備えている、請求項１に記載のシステム。
【請求項５】
前記広帯域光源及び前記光ファイバーカプラーを接続する入力ファイバーを更に備えている、請求項４に記載のシステム。
【請求項６】
前記光ファイバーカプラー及び前記光スペクトラムアナライザーに接続する出力ファイバーを更に備えている、請求項４に記載のシステム。
【請求項７】
光源ファイバーを用意すること、
前記光源ファイバーと光通信する未知の位置に未知のファイバー歪みを有している試験用光ファイバーを用意すること、
前記試験用光ファイバーと前記光源ファイバーとの間の界面からファイバー界面反射信号を反射させること、
前記試験用光ファイバー中に第２の信号を伝送すること、
前記第２の信号と前記ファイバー界面反射信号とを結合することにより合成された出力信号を形成すること、
前記合成された出力信号に基づいて合成光スペクトルを形成すること、及び
前記合成光スペクトルから前記試験用光ファイバー中の前記ファイバー歪みの位置を計算すること
を含むファイバーケーブルの歪み検出方法。
【請求項８】
前記試験用光ファイバー中に第２の信号を伝送することが、前記第２の信号を前記ファイバー歪みから反射させることを含む、請求項７に記載の方法。
【請求項９】
前記光源ファイバーに入力光信号を伝送することを更に含む、請求項８に記載の方法。
【請求項１０】
前記光源ファイバーに入力光信号を伝送することが、前記光源ファイバーに広帯域入力光信号を伝送することを含む、請求項９に記載の方法。
【請求項１１】
前記光源ファイバーに広帯域入力光信号を伝送することが、前記光源ファイバーにより広帯域ＬＥＤから広帯域入力光信号を供給することを含む、請求項１０に記載の方法。
【発明の詳細な説明】
【技術分野】
【０００１】
本発明は、光ファイバーケーブルに関する。具体的には、本発明は、ケーブルの端面から至近距離にある光ファイバーケーブル中の歪みの位置を見つけ出すための、ファイバーケーブルの歪みロケーターシステム及び方法に関する。ケーブル中の歪みは、光信号の中断を生じさせる可能性がある。
【背景技術】
【０００２】
複合材料を用いる航空機の現世代及び未来の世代は、大きさ、重量、コスト、及びＥＭＩを削減するために、光ファイバーケーブルを大量に使用すると考えられる。複合材料を用いる航空機における光ファイバーケーブルの数は、金属の骨組を用いる従来の航空機の何倍にもなりうる。光ファイバーケーブルの数が増加するにつれ、取り付けの間に光ファイバーケーブルに歪みが生じる可能性に対処することが必要となろう。光ファイバーケーブルの歪みは稀に生じることがあり、一部の用途では、ケーブルにそのような歪みが無いことを確認することが望ましい場合がある。
【０００３】
ケーブル束中における光ファイバーケーブルの密度が高いことにより、光ファイバーは、コネクターパネル近傍の狭い空間内で束ねることができる。ケーブルの歪みの多くは、ＬＲＵ（ライン交換可能ユニット）コネクターの終端又は終端内部に連結されるケーブルの端面近傍に生じうる。ケーブルの歪みを検出するための従来の装備（例えば、フォトン計数、マイケルソン干渉計、光後方散乱反射率計）は、最高５ｃｍの解像度で光ファイバーケーブル中の歪みを検出することができる。しかし、ケーブルの端面から５ｃｍ未満の範囲のケーブルの歪みを検出することができるこのようなケーブルの歪み検出設備は、高価で、嵩張り、重く、マルチモード（ＭＭ）のガラス繊維及び大容量コアプラスチック光ファイバー（ＰＯＦ）を試験するには制約があり、ケーブルの取り付けプロセスの間の機上での現場使用には適さない。
【発明の概要】
【発明が解決しようとする課題】
【０００４】
したがって、光ファイバーケーブルの取り付けのために、低コスト且つ小型で、使い易い光ファイバーケーブルの歪みを検出するシステムが必要とされている。
【課題を解決するための手段】
【０００５】
本発明は、ファイバーケーブルの歪み検出システムを主な目的とする。このシステムの例示的な実施形態は、広帯域光源、広帯域光源と光通信するように配置された光源ファイバー、光源ファイバーと光通信するように配置された試験用光ファイバー、及び光源ファイバーと光通信するように配置された光スペクトラムアナライザーを含む。
【０００６】
幾つかの実施形態では、ファイバーケーブルの歪み検出システムは、ＬＥＤ駆動回路、ＬＥＤ駆動回路と電気通信するように配置された広帯域ＬＥＤ、広帯域ＬＥＤと光通信するように配置された光源ファイバー、及び光源ファイバーと光通信するように配置された光学分光計を含む。
【０００７】
本発明は、更に、ファイバーケーブルの歪み検出方法を主な目的とする。この方法の例示的な実施形態は、光源ファイバーを用意すること、光源ファイバーと光通信する試験用光ファイバーを用意すること、試験用光ファイバーと光源ファイバーとの間の界面からファイバー界面反射信号を反射させること、前記試験用光ファイバー中に第２の信号を伝送すること、合成された出力信号を形成すること、及び合成された出力信号に基づく合成光スペクトルを形成することを含む。
【０００８】
幾つかの実施形態では、ファイバーケーブルの歪み検出システムは、ハウジング、ハウジング内に設けられたＬＥＤ駆動回路、ＬＥＤ駆動回路と電気通信するように配置された広帯域ＬＥＤ、広帯域ＬＥＤと光通信するように配置された入力ファイバー、入力ファイバーと光通信するように配置された光ファイバーカプラー、光ファイバーカプラーと光通信するように配置された光源ファイバー、ハウジング上に設けられて光源ファイバーと光通信するように配置された光ファイバーコネクター、光ファイバーカプラーと光通信するように配置された出力ファイバー、出力ファイバーと光通信するように配置された光学分光計、ハウジング上に設けられて光学分光計に接続されたＵＳＢポート、光学分光計に接続された警報回路、及びハウジング上に設けられて警報回路に接続された警報装置を含む。
【０００９】
幾つかの実施形態では、ファイバーケーブルの歪み検出方法は、光源ファイバーを用意すること、光源ファイバーと光通信する試験用光ファイバーであって、ファイバー歪みを有する試験用光ファイバーを用意すること、広帯域入力光信号を光源ファイバーに伝送すること、試験用光ファイバーと光源ファイバーとの間の界面からファイバー界面反射信号を反射させること、入力光信号の残りの部分を試験用光ファイバーに伝送すること、試験用光ファイバー中のファイバー歪みからファイバー歪み反射信号を反射させること、ファイバー歪み反射信号とファイバー界面反射信号とを合成することにより、合成された出力信号を形成すること、合成された出力信号のスペクトルを表示すること、及びスペクトルを使用して、試験用光ファイバー中のファイバー歪みの位置を計算することを含む。
【図面の簡単な説明】
【００１０】
【図１】図１は、ファイバーケーブルの歪み検出システムの例示的実施形態により使用される歪み検出原理を示す概略的ブロック図である。
【図２】図２は、システム実装時のファイバーケーブル歪み検出システムの例示的実施形態の概略的ブロック図である。
【図３】図３は、ファイバーケーブル歪み検出システムの例示的な一実施形態に実装される光スペクトラムアナライザー（ＯＳＡ）のスペクトルディスプレイであり、具体的には、歪みを有する試験用ファイバーがシステムに接続されている場合のＯＳＡスペクトルを示している。
【図４】図４は、ファイバーケーブル歪み検出システムの例示的な一実施形態に実装される光スペクトラムアナライザー（ＯＳＡ）のスペクトルディスプレイであり、具体的には、試験用ファイバーがシステムに接続されていない場合のＯＳＡスペクトルを示している。
【図５】図５は、ファイバーケーブル歪み検出システムの例示的な一実施形態に実装される光スペクトラムアナライザー（ＯＳＡ）のスペクトルディスプレイであり、具体的には、歪みの無い試験用ファイバーがシステムに接続されている場合のＯＳＡスペクトルを示している。
【図６】図６は、ファイバーケーブル歪み検出システムの例示的なハンドヘルド式実施形態を示すブロック図である。
【図７】図７は、ファイバーケーブル歪み検出システムの例示的なハンドヘルド式実施形態の工学設計を示すブロック図である。
【図８】図８は、図７に示されるファイバーケーブルの歪み検出システムの上面図である。
【図９】図９は、ファイバーケーブルの歪み検出方法の例示的な一実施形態のフロー図である。
【図１０】図１０は、航空機の製造及び整備方法のフロー図である。
【図１１】図１１は、航空機のブロック図である。
【発明を実施するための形態】
【００１１】
以下の詳細な説明は、例示的な性質のみを有し、記載される実施形態、又は記載される実施形態の用途及び使用を制限することを意図するものではない。本明細書で「典型的」又は「例示的」という用語を使用する場合、「一の実施例、事例、又は例示となる」という意味である。「典型的」又は「例示的」として本明細書に記載されるあらゆる実装形態は、必ずしも他の実装形態より好ましい又は有利であるというわけではない。後述の実装形態の全ては、当業者による本発明の作製又は使用を可能にするために提供された典型的な実装形態であり、特許請求の範囲によって定義される本発明の範囲を制限することを意図するものではない。更に、上述の技術分野、背景技術、発明の概要、又は後述の詳細な説明において、明示的又は暗示的に提示される理論に拘束されることは意図されていない。
【００１２】
本発明の、ファイバーケーブルの歪み検出システム及び方法は、持続波（ＣＷ）条件で動作できる広帯域光源を使用して、光ファイバーケーブル中の歪みに反射された光信号による入力光信号の干渉を試験することに基づいている。広帯域光源は、あらゆる波長範囲とすることができ、限定しないが、例えば、単一モード、マルチモード、及び大容量コアプラスチック光ファイバー（ＰＯＦ）を含む全ての種類のファイバーを試験することができる。
【実施例】
【００１３】
まず図１を参照すると、ファイバーケーブルの歪み検出システム１（以降、システム）の例示的な一実施形態により使用される歪み検出原理を示す概略的ブロック図が示されている。広帯域光源２は、多数の波長要素λ１、λ２、λ３、．．．λｎを有しうる入力光信号３を放射し、光源ファイバー４に連結されうる。試験用光ファイバー（ＦＵＴ）５は、光源ファイバー４に連結することができる。幾つかの実施形態では、広帯域光源２は、限定しないが、例えばＬＥＤとすることができる。入力光信号３は、広帯域光源２から光源ファイバー４中へ、光源ファイバー４を通して放射される。試験用光ファイバー５と光源ファイバー４との間のファイバー界面９では、入力光信号３の一部が反射されて、光源ファイバー４を通ってファイバー界面反射信号１２として戻ることがある。入力光信号３の残りの部分は、ファイバー界面９を越えて試験用光ファイバー５へと伝送される。試験用光ファイバー５が光源ファイバー４から或る距離（Ｌ）だけ離れた位置にファイバー歪み６を有する場合、入力光信号３の残りの部分は、ファイバー歪み６に反射して、試験用光ファイバー５及び光源ファイバーを通ってファイバー歪み反射信号１４として戻ることがある。ファイバー歪み反射信号１４は、ファイバー界面反射信号１２と建設的に又は破壊的に結合して、合成された出力光信号８を形成しうる。
【００１４】
ファイバー歪み６の光源ファイバー４からの距離（Ｌ）に依存して、２Ｌ分の距離を移動した後に入力光信号３の位相に対して２Πの位相ずれを形成するファイバー歪み反射信号１４の波長では、ファイバー歪み反射信号１４とファイバー界面反射信号１２との建設的干渉が、合成された出力光信号８に「山」と「谷」を形成しうる。２Ｌ分の距離を移動した後にファイバー界面反射信号１２の位相に対してΠの位相ずれを形成するファイバー歪み反射信号１４の波長では、ファイバー歪み反射信号１４とファイバー界面反射信号１２との破壊的干渉が、合成された出力光信号８に対して０になる。合成された出力光信号８の山と山の間又は谷と谷の間の間隔を検出することにより、ファイバー界面９から至近距離にあるファイバー歪み６の位置が、約０．１ｍｍを上回る解像度で決定できる。このような現象は、光学のファブリーペロ共振器理論の原理に基づいている。合成された出力光信号８の山と山の間又は谷と谷の間の間隔は、共振器のフリースペクトルレンジ（ＦＳＲ）として既知である。
【００１５】
図１に示される実施例では、ＦＳＲ（Δλ）とＬとの関係は、以下の等式（Ｉ）により表わされる。
Ｌ＝λ２ｉ／２ｘｎｅｆｆｘΔλ
式中、ｎｅｆｆは光ファイバーの屈折率（又は群屈折率）であり、λｉは広帯域光源の動作波長である。
【００１６】
試験用光ファイバー５にファイバー歪み６が存在しない状況下では、入力光信号３は、ファイバー歪み反射信号１４が形成されてファイバー界面反射信号１２と合成することにより合成出力光信号８を形成することなく、ファイバー界面９を越えて試験用光ファイバー５に伝送する。この場合、ファイバー界面反射信号１２に対する干渉は起こり得ない。したがって、ＯＳＡスペクトルディスプレイ３２に表示される合成光スペクトルは、ファイバー界面反射信号１２のＯＳＡスペクトルと一致し、試験用光ファイバー５中にファイバー歪み６が存在しないことを示す。
【００１７】
次に図２を参照すると、ファイバーケーブル歪み検出システム２１の例示的な一実施形態の概略的ブロック図が示されている。システム２１は、多数の波長要素λ１、λ２、λ３、．．．λｎを有する入力光信号３を放射することができる広帯域光源２２を含む。入力ファイバー２３により広帯域光源２２と光通信する１×２光ファイバーカプラー２８を設けることができる。出力ファイバー３０により光ファイバーカプラー２８と光通信する光スペクトラムアナライザー（ＯＳＡ）３１を設けることができる。ＯＳＡスペクトルディスプレイ３２は、光スペクトラムアナライザー３１と連動することができる。光ファイバーカプラー２８と光通信する光源ファイバー２５を設けることができる。試験用光ファイバー（ＦＵＴ）２６は、光ファイバーコネクター２４により光源ファイバー２５に連結することができ、光源ファイバー２５から既知の距離だけ離れた位置にファイバー歪み２７を有しうる。
【００１８】
システム２１の動作において、ファイバー歪み２７を有する試験用光ファイバー２６は、光ファイバーコネクター２４の位置で光源ファイバー２５に接続される。例示的な一の用途では、ファイバー歪み２７は、光源ファイバー２５から３．６ｃｍ（物理的測定による）離れて位置している。広帯域入力光信号３は、広帯域光源２２から放射されて、入力ファイバー２３、光ファイバーカプラー２８、及び光源ファイバー２５を通る。試験用光ファイバー２６と光源ファイバー２５との間のファイバー境界２９で入力光信号３の一部は反射され、ファイバー境界反射信号１２として光源ファイバー２５及び光ファイバーカプラー２８を通って戻る。入力光信号３の残りの部分は、ファイバー境界２９を越えて、残存広帯域光信号１６として光ファイバーコネクター２４及び試験用光ファイバー２６へ伝送する。入力光信号３の残存広帯域光信号１６は、ファイバー歪み２７に反射して、ファイバー歪み反射信号１４として試験用光信号２６及び光源ファイバー２５を通って戻る。光ファイバーカプラー２８では、ファイバー界面反射信号１２とファイバー歪み反射信号１４とが合成されて出力光信号８が形成される。出力光信号８は、出力ファイバー３０により光ファイバーカプラー２８から光スペクトラムアナライザー３１へ伝送される。
【００１９】
光スペクトラムアナライザー３１によって測定及び分析され、ＯＳＡスペクトルディスプレイ３２によって表示された合成出力光信号８の例示的な一のスペクトルを図３に示す。図３のスペクトルに基づいて測定されたＦＳＲ（フリースペクトルレンジ）は０．０２２ｎｍである。上記等式（Ｉ）を用いてファイバー歪み２７の位置を計算するためのパラメータを以下の表（Ｉ）に示す。等式（Ｉ）を用いて計算されたＬの値は３．６４ｃｍであり、これは上述の物理的測定技術を用いたＬの測定結果と良好に一致している。
【００２０】
表（Ｉ）ファイバー歪みの距離の計算
0005456070.tif 000002
【００２１】
図４には、試験用光ファイバー２６（図２）が光源ファイバー２５に接続されていない場合の光スペクトラムアナライザー（ＯＳＡ）のスペクトルディスプレイが示されている。図５には、ファイバー歪み２７を有さない試験用光ファイバー２６（図２）が光源ファイバー２５に接続されている場合の光スペクトラムアナライザー（ＯＳＡ）のスペクトルディスプレイが示されている。図４及び５に示されるＯＳＡスペクトルには、出力光信号８中においてファイバー界面反射信号１２に干渉するはずのファイバー歪み反射信号１４（図２）が無いことにより、山及び谷が無い。
【００２２】
次に図６〜８を参照する。図６は、ファイバーケーブル歪み検出システム３６の例示的なハンドヘルド式実施形態を示すブロック図であり、図７及び８は、システム３６の例示的なハンドヘルド式実施形態の工学設計を示している。システム３６はハウジング３７を含むことができる。ハウジング３７内には、自動出力制御（ＡＰＣ）３８を有するＬＥＤ駆動回路（以降、ＬＥＤ駆動回路３８）を設けることができる。ＬＥＤ駆動回路３８には、広帯域ＬＥＤ３９を電気的に接続することができる。光ファイバーカプラー４０が、入力ファイバー４５により広帯域ＬＥＤ３９に接続される。ハウジング３７の外側に設けられた光ファイバーコネクター４４は、光源ファイバー４１により光ファイバーカプラー４０に接続される。
【００２３】
光学分光計４８は、小型のオーシャンオプティクス分光器（又はその他の高解像度小型分光計）とすることができ、出力ファイバー４６により光ファイバーカプラー４０に接続される。電源４２は光学分光計４８に接続される。幾つかの実施形態では、ピーク検出器及び警報回路４３がハウジング３７内に設けられて光学分光計４８に接続される。警報器４７は、音響警報器、警報表示、又はそれらの両方とすることができ、ハウジング３７の外側に設置されてピーク検出器及び警報回路４３に接続される。ラップトップコネクター５０は、限定しないが例えばＵＳＢポートでよく、ハウジング３７上に設置されて光学分光器４８に接続される。ラップトップコネクター５０にラップトップコンピュータ５１を接続することができる。図７及び８に示すように、幾つかの実施形態では、ハウジング３７上にオン／オフスイッチ５４を設けて、電源４２と光学分光計４８との間に接続することにより、システム３６のオン／オフを簡単に行うことができる。
【００２４】
システム３６の一般的な運用においては、ファイバー歪み４９ａを有する試験用光ファイバー４９が、光ファイバーコネクター４４の位置で光源ファイバー４１に接続される。ＬＥＤ駆動回路３８は、広帯域ＬＥＤ３９に広帯域入力光信号４５ａを生成させ、この信号４５ａは、入力ファイバー４５、光ファイバーカプラー４０、及び光源ファイバー４１に伝送される。光源ファイバー４１と試験用光ファイバー４９との間のファイバー界面では、入力光信号４５ａの一部が反射されて、ファイバー界面反射信号として（図示しない）光源ファイバー４１及び光ファイバーカプラー４０へと戻る。入力光信号４５ａの残りの部分は、ファイバー界面（図示しない）を越えて、残存広帯域光信号（図示しない）として試験用光ファイバー４９へと伝送される。入力光信号４５ａの残存広帯域光信号は、ファイバー歪み４９ａに反射して、ファイバー歪み反射信号（図示しない）として試験用光ファイバー４９、光源ファイバー４１、及び光ファイバーカプラー４０に戻る。光ファイバーカプラー４０において、ファイバー歪み反射信号は界面反射信号（図示しない）と結合して合成出力光信号４６ａを形成する。
【００２５】
合成出力光信号４６ａは、出力ファイバー４６により光学分光計４８に伝送される。光学分光計４８は、合成出力光信号４５ａを分析してスペクトルを生成し、合成出力光信号４６ａのこのスペクトルをラップトップコンピュータ５１に伝送することができる。コンピュータ５１はスペクトルを表示する。ラップトップコンピュータ５１は、上記等式（Ｉ）を用いて、試験用光ファイバー４９の端部からの、ファイバー歪み４９ａの位置までの距離を計算して表示することもできる。場合によっては、光学分光計４８は、ピーク検出器及び警報回路４３を起動して警報器４７を作動させることができる。警報器及び警報回路が内蔵式である場合、システム３６はラップトップコンピュータ５１無しで動作できるように設計することができ、これによりスペースが非常に限られた環境での使用が更に容易になる。
【００２６】
次に図９を参照すると、ファイバーケーブル歪み検出方法の例示的な一実施形態を示すフロー図９００が示されている。ブロック９０２において、光源ファイバーが用意される。ブロック９０４では、端部から未知の距離だけ離れた地点にファイバー歪みを有する試験用光ファイバーが、光源ファイバーに連結される。ブロック９０６では、広帯域入力光信号とすることができる入力光信号が、光源ファイバーに伝送される。幾つかの実施形態では、広帯域入力光信号は広帯域ＬＥＤから放射される。ブロック９０８では、ファイバー界面反射信号が、試験用光ファイバーと光源ファイバーとの間の界面から反射される。ブロック９１０では、広帯域入力光信号の残りの部分が試験用光ファイバーに伝送される。ブロック９１２では、ファイバー歪み反射信号が試験用光ファイバー中のファイバー歪みから反射される。ブロック９１４では、光ファイバー歪み反射信号とファイバー界面反射信号とを合成することにより、合成出力光信号が形成される。ブロック９１６では、合成出力光信号に基づく合成光スペクトルが形成されて表示される。ブロック９１８では、試験用の光ファイバー中のファイバー歪みの位置（光源ファイバーに連結されたファイバーの端部からのファイバー歪みの距離）が、スペクトルのパラメータを用いて計算される。これは、上述の等式（Ｉ）を使用して実行することができる。
【００２７】
次に図１０及び１１を参照する。本発明の実施形態は、図１０に示される航空機の製造及び整備方法７８、及び図１１に示される航空機９４において使用することができる。製造前の段階では、例示的方法７８は、航空機９４の仕様及び設計８０と、材料調達８２とを含むことができる。製造段階では、航空機９４のコンポーネント及びサブアセンブリの製造８４と、システムインテグレーション８６が行われる。その後、航空機９４は認可及び納品８８を経て就航９０される。顧客により運行される間、航空機９４は定期的なメンナンス及び整備９２（改造、再構成、改修なども含む）を受ける。
【００２８】
方法７８の各工程は、システムインテグレーター、第三者、及び／又はオペレーター（例えば顧客）によって実施又は実行される。本発明の目的のために、システムインテグレーターは、限定しないが、任意の数の航空機製造者、及び主要なシステム下請業者を含むことができ、第三者は、限定しないが、任意の数のベンダー、下請業者、及び供給業者を含むことができ、オペレーターは、航空会社、リース会社、軍事団体、サービス機関などとすることができる。
【００２９】
図１１に示すように、例示的方法７８により製造された航空機９４は、複数のシステム９６及び内装１００を有する機体９８を含むことができる。高レベルのシステム９６の実施例には、推進システム１０２、電気システム１０４、油圧システム１０６、及び環境システム１０８のうちの一又は複数が含まれる。任意の数のその他のシステムが含まれてよい。航空宇宙の分野における実施例を示したが、本発明の原理は、自動車産業などの他の産業にも適用可能である。
【００３０】
ここに具現化された装置は、製造及び整備方法７８の一又は複数の任意の段階の間に利用可能である。例えば、製造工程８４に対応するコンポーネント又はサブアセンブリは、航空機９４が就航中に製造されるコンポーネント又はサブアセンブリと類似の方法で作製又は製造することができる。また、例えば、航空機９４のアセンブリを実質的に効率化すること、又は航空機９４のコストを削減することにより、一又は複数の装置の実施形態を製造段階８４及び８６の間に利用することができる。同様に、一又は複数の装置の実施形態を、航空機９４が就航中に、限定しないが、例えばメンテナンス及び整備９２に利用することができる。
【００３１】
本明細書の実施形態は特定の例示的実施形態を参照して説明されているが、特定の実施形態は、限定ではなく例示を目的としており、当業者には他の変形例が想起可能であろう。
また、本願は以下に記載する態様を含む。
（態様１）
広帯域光源と、
前記広帯域光源と光通信するように配置された光源ファイバーと、
前記光源ファイバーと光通信するように配置された試験用光ファイバーと、
前記光源ファイバーと光通信するように配置された光スペクトラムアナライザーと
を備えているファイバーケーブル歪み検出システム。
（態様２）
前記広帯域光源が広帯域ＬＥＤを含む、態様１に記載のシステム。
（態様３）
前記光スペクトラムアナライザーと連動するスペクトルディスプレイを更に備えている、態様１に記載のシステム。
（態様４）
前記広帯域光源、前記光源ファイバー、及び前記光スペクトラムアナライザーと光通信するように配置された光ファイバーカプラーを更に備えている、態様１に記載のシステム。
（態様５）
前記広帯域光源及び前記光ファイバーカプラーを更に備えている、態様４に記載のシステム。
（態様６）
前記光ファイバーカプラー及び前記光スペクトラムアナライザーに接続する出力ファイバーを更に備えている、態様４に記載のシステム。
（態様７）
前記光スペクトラムアナライザーがラップトップコンピュータを含む、態様１に記載のシステム。
（態様８）
光源ファイバーを用意すること、
前記光源ファイバーと光通信する試験用光ファイバーを用意すること、
前記試験用光ファイバーと前記光源ファイバーとの間の界面からファイバー界面反射信号を反射させること、
前記試験用光ファイバー中に第２の信号を伝送すること、
合成された出力信号を形成すること、及び
前記合成された出力信号に基づいて合成光スペクトルを形成すること
を含むファイバーケーブルの歪み検出方法。
（態様９）
前記光源ファイバーと光通信する試験用光ファイバーを用意することが、ファイバー歪みを有する試験用光ファイバーを、前記光源ファイバーと光通信するように設置することを含み、前記試験用光ファイバー中に第２の信号を伝送することが、前記第２の信号を前記ファイバー歪みに反射させることを含み、更に、前記第２の信号と前記ファイバー界面反射信号とを結合することにより前記合成された出力信号を形成することと、前記合成光スペクトルに基づいて前記試験用光ファイバー中の前記ファイバー歪みの位置を計算することとを含む、態様８に記載の方法。
（態様１０）
前記光源ファイバーに入力光信号を伝送することを更に含む、態様９に記載の方法。
（態様１１）
前記光源ファイバーに入力光信号を伝送することが、前記光源ファイバーに広帯域入力光信号を伝送することを含む、態様１０に記載の方法。
（態様１２）
前記光源ファイバーに広帯域入力光信号を伝送することが、前記光源ファイバーにより前記広帯域ＬＥＤから広帯域入力光信号を供給することを含む、態様１１に記載の方法。
【図１】
0005456070.tif 000003
【図２】
0005456070.tif 000004
【図３】
0005456070.tif 000005
【図４】
0005456070.tif 000006
【図５】
0005456070.tif 000007
【図６】
0005456070.tif 000008
【図７】
0005456070.tif 000009
【図８】
0005456070.tif 000010
【図９】
0005456070.tif 000011
【図１０】
0005456070.tif 000012
【図１１】
0005456070.tif 000013